(57)【要約】【課題】机の使用者の足元を隠蔽させたまま、机の下を明るくさせることができる机等における脚体構造を提供すること。【解決手段】机１の少なくとも一側部に配設され、天板５を支持するようにした机１における脚体２であって、前後方向を向く上方と下方の脚杆６、７と、後部と中間部に位置する後部支柱８と中間支柱９により、脚体２を構成し、この脚体２おける下方の脚杆７の上面と上方の脚杆６の下面、及び後端の支柱８の前面と中間部の支柱９の後面とに、互いの対向方向が開口する嵌合溝２６、２７、３０、３１を形成するとともに、これら各嵌合溝２６、２７、３０、３１に外周が嵌合する内枠材１２、１３を設け、かつ、この内枠材１２、１３の内周に設けた嵌合溝１４、２０に透光性部材１１の外周を嵌合することで、脚体２に透光性部材１１を取り付けて机１における脚体２を構成する。【選択図】  図２
2004283252.tif 000002
【特許請求の範囲】
【請求項１】
机等の少なくとも一側部に配設され、天板を支持するようにした机等における脚体構造であって、前後方向を向く上方と下方の脚杆と、後部と中間部に位置する後部支柱と中間支柱により、脚体を構成し、該脚体おける下方の脚杆の上面と上方の脚杆の下面、及び後部支柱の前面と中間支柱の後面とに、互いの対向方向が開口する嵌合溝を形成するとともに、該各嵌合溝に外周が嵌合する内枠材を設け、かつ、該内枠材の内周に設けた嵌合溝に透光性部材の外周を嵌合することで、前記脚体に透光性部材を取り付けたことを特徴とする机等における脚体構造。
【請求項２】
前記脚体には、長手方向に２条をなす嵌合溝が形成されるとともに、前記内枠材の外縁には、２条の嵌合条が形成され、該内枠材の嵌合条が前記脚体の嵌合溝に嵌合するようになっている請求項１に記載の机等における脚体構造。
【請求項３】
前記内枠材と前記脚体との間に空間を形成するとともに、前記内枠材に弾性力を持たせ、前記透光性部材を前記内枠材の嵌合溝に嵌合させる際に内枠材が脚体側へ変形するようになっている請求項２に記載の机等における脚体構造。
【発明の詳細な説明】
【０００１】
【発明の属する技術分野】
本発明は、机等の少なくとも一部に配設され、天板を支持させるようにした机等における脚体構造に関する。
【０００２】
【従来の技術】
従来のオフィス等で使用されている机等の脚体は、板状の脚体を形成させることで、足元を隠蔽させ、見栄えを向上させるとともに、脚体内にコード類を収納させたものがある。（例えば、特許文献１参照）
【０００３】
【特許文献１】
特開平９−２８９９２２号公報（段落００１２、第１図）
【０００４】
【発明が解決しようとしている課題】
近年のオフィスのＩＴ化に伴い、机上で使用するＯＡ機器等の電源用のコンセントや、ＬＡＮケーブルのＨＵＢ等が、机の下に配置されていることが多く、電源ケーブルをコンセントに差し込んだり、ＬＡＮケーブルをＨＵＢに接続させるために、机の下に潜り込んで、それらケーブルの配線作業を行うことが多くなっている。しかしながら、特許文献１にあっては、机の下が、板状の脚体により覆われているので、暗くなっており、ケーブルの配線作業を行い難くなっている。
【０００５】
本発明は、このような問題点に着目してなされたもので、机の使用者の足元を隠蔽させたまま、机の下を明るくさせることができる机等における脚体構造を提供することを目的とする。
【０００６】
【課題を解決するための手段】
上記の目的を解決するために、本発明の机等における脚体構造は、机等の少なくとも一側部に配設され、天板を支持するようにした机等における脚体構造であって、前後方向を向く上方と下方の脚杆と、後部と中間部に位置する後部支柱と中間支柱により、脚体を構成し、該脚体おける下方の脚杆の上面と上方の脚杆の下面、及び後部支柱の前面と中間支柱の後面とに、互いの対向方向が開口する嵌合溝を形成するとともに、該各嵌合溝に外周が嵌合する内枠材を設け、かつ、該内枠材の内周に設けた嵌合溝に透光性部材の外周を嵌合することで、前記脚体に透光性部材を取り付けたことを特徴としている。
この特徴によれば、透光性部材を脚体内に取り付けたことによって、机の使用者の足元を隠蔽させるとともに、光が透光性部材から差し込むので、机の下を明るくさせることができるようになる。
【０００７】
本発明の机等における脚体構造は、前記脚体には、長手方向に２条をなす嵌合溝が形成されるとともに、前記内枠材の外縁には、２条の嵌合条が形成され、該内枠材の嵌合条が前記脚体の嵌合溝に嵌合するようになっていることが好ましい。
このようにすれば、内枠材の２条の嵌合条が、脚体の２条の嵌合溝に嵌合されることで、内枠材を強固に脚体に取り付けることができる。
【０００８】
本発明の机等における脚体構造は、前記内枠材と前記脚体との間に空間を形成するとともに、前記内枠材に弾性力を持たせ、前記透光性部材を前記内枠材の嵌合溝に嵌合させる際に内枠材が脚体側へ変形するようになっていることが好ましい。
このようにすれば、透光性部材の外周が内方に向かって押圧されながら内枠材の嵌合溝に嵌合させられるので、透光性部材が、がたつくことなく脚体に取り付けられる。
【０００９】
【発明の実施形態】
以下、本発明の実施例を図面に基づいて説明すると、先ず図１は、本発明の脚体構造を適用された机１の左右側部に配置される脚体２の組立図であり、この脚体２の構造は左右共通なので、一方の脚体２について説明する。
【００１０】
脚体２は、アルミニウム等の金属で形成された上方の脚杆６と、下方の脚杆７と、後部支柱８と、中間支柱９により構成されている。この脚体２を組み立てる際には、先ず、下方の脚杆７の中間部と後部に中間支柱９と後部支柱８を取り付けて、内枠材１３を下方の脚杆７の上面に取り付ける。そして、内枠材１２を中間支柱９の後面側と、後部支柱８の前面側に取り付けて、内枠材１２と内枠材１３との間の角の部分には、コーナー部材１９を取り付ける。
【００１１】
次に、透光性部材１１の側方の端縁を上方より内枠材１２の嵌合溝１４に嵌合させ、そのまま下方に摺動させて、下方の内枠材１３まで下ろして、透光性部材１１の下方の端縁を内枠材１３の嵌合溝２０に嵌合させる。そして、上方の内枠材１３とコーナー部材１９を上方の脚杆６の下面に取り付けて、この脚杆６を中間支柱９と後部支柱８の上部に取り付け、ボルト２５によって両支柱８、９に固定させる。
【００１２】
図２は、机１の全体像を示す斜視図であり、この机１は、上述した脚体２と、その後端に取り付けられた幕板４と、脚体２の上部に支持される天板５により構成されている。天板５には、机１の下方から配線されるケーブル２８等を天板５上に挿通させることができる挿通孔３が設けられている。
【００１３】
透光性部材１１は、脚体２の内周に嵌め込まれた内枠材１２、１３によって、外周の四方端縁を嵌合されて脚体２に取り付けられている。この透光性部材１１は、つや消しをしてある不透明のアクリル製の板であり、光を通過させることはできるが、透光性部材１１の内側は目隠しとして機能できるようになっている。透光性部材１１を脚体２内に取り付けたことによって、光が透光性部材１１から差し込むので、机１の使用者の足元を隠蔽させたまま、机１の下を明るくさせることができるようになっている。
【００１４】
内枠材１２、１３とコーナー部材１９について図３から図５を参照して説明すると、図３は、後部支柱８の前面と中間支柱９の後面に取り付けられる内枠材１２の斜視図であり、図４は、下方の脚杆７の上面、及び上方の脚杆６の下面に取り付けられる内枠材１３の斜視図であり、図５は、（ａ）は、コーナー部材１９の側面図であり、（ｂ）は、同じくコーナー部材１９の正面図であり、（ｃ）は、同じくコーナー部材１９の平面図である。
【００１５】
図３に示す内枠材１２は、嵌合溝１４が中央の長手方向に沿って形成されており、この内枠材１２は、中央の嵌合溝１４が突出するように断面略山型状に形成されている。脚体２に取り付けられた際には、この嵌合溝１４が内周側を向き、透光性部材１１の側方の端縁が嵌合させられる。
【００１６】
内枠材１２の内周側の面は、嵌合溝１４を中心に外周側に向かって広がるように傾斜させられており、内枠材１２の傾斜させられた内周側の一方の面には、後述する配線ダクト１５の係合片１６が係合させられる係合溝１７が長手方向に沿って形成されている。内枠材１２の外縁には、２条の嵌合条１８が形成されている。
【００１７】
図４に示す内枠材１３は、断面略アーチ状に形成させられており、上記内枠材１２と同様に、内周側の面の中央に長手方向に沿って嵌合溝２０が形成されて、透光性部材１１の上方と下方の端縁が嵌合させられる。内枠材１３の外縁には、２条の嵌合条２１が形成されている。
【００１８】
図５の（ａ）に示すコーナー部材１９は、直角に屈曲させられた略Ｌ字状を成し、透光性部材１１の角を嵌合させるために、脚体２の内周の四隅の角に取り付けられる。（ｂ）（ｃ）に示すように、コーナー部材１９の内周側の中央には、上記内枠材１２、１４と同様の嵌合溝２２が形成されており、透光性部材１１の四隅の角が嵌合させられるようになっている。
【００１９】
（ｂ）に示すように、このコーナー部材１９の正面側の接合面２３は、上方と下方の脚杆６、７に取り付けられる内枠材１３の内周面と面一のデザインになるように、内枠材１３の側端面と同形状の接合面２３が形成されている。（ｃ）に示すように、他方の接合面２４の形状も、両支柱８、９に取り付けられる内枠材１２の内周面と面一になるように、内枠材１２の側端面と同形状の接合面２４が形成されている。
【００２０】
図３から図５のこれら内枠材１２、１３とコーナー部材１９は、弾力性のある合成樹脂等の材質により構成されているので、アクリル製の透光性部材１１が、金属製の脚体２に直に取り付けられるのではなく、合成樹脂製の内枠材１２、１３が脚体２と透光性部材１１の間に設けられていることで、透光性部材１１が、がたつくことなく取り付けられる。
【００２１】
図６は、図２における脚体２のＡ−Ａ断面図であり、後部支柱８の前面と中間支柱９の後面には、互いの対向方向が開口する２条の嵌合溝２６、２７と凸部３２、３３が形成されており、内枠材１２の２条の嵌合条１８が、後部支柱８と中間支柱９の嵌合溝２６、２７に各々嵌合させられる。
【００２２】
また、内枠材１２の弾性により、内枠材１２の２条の嵌合条１８が、図６の矢印に示すように、各々の支柱８、９の凸部３２、３３を左右方向から挟み込むようにして取り付けられているので、内枠材１２が強固に支柱８、９に取り付けられるようになる。内枠材１２の内周側の中央の嵌合溝１４には、透光性部材１１が嵌合させられており、透光性部材１１は、両側端縁がこの嵌合溝１４によって保持されている。
【００２３】
後部支柱８の内枠材１２には、配線ダクト１５が取り付けられており、この配線ダクト１５は、上下方向に沿って延びる略筒状をしており、長手方向に沿って係合片１６が形成されている。この係合片１６は、内枠材１２の係合溝１７に係合させられており、係合片１６の反対側には、軟質材で構成された閉塞片２９が形成されている。
【００２４】
この閉塞片２９は弾力性を持っているので自由に開閉させることができ、ケーブル２８を容易に配線ダクト１５内に挿設させることができる。天板５上に配置されたＯＡ機器等へつながるケーブル２８等は、この配線ダクト１５の内に配線させることができる。
【００２５】
図７は、図２における脚体２のＢ−Ｂ断面図であり、上方の脚杆６と下方の脚杆７の下面と上面には、互いの対向方向が開口する２条の嵌合溝３０、３１が形成されており、内枠材１３の２条の嵌合条２１が各々の脚杆６、７の２条の嵌合溝３０、３１に嵌合させられていることで、内枠材１３が強固に脚杆６、７に取り付けられている。透光性部材１１は、その上下端縁が、内枠材１３の内周側の中央の嵌合溝２０に嵌合させられることで保持されている。
【００２６】
内枠材１３が脚杆６、７に取り付けられた際に、内枠材１３の中央の嵌合溝２０の外周側と脚杆６、７の間には、空間３４、３５が形成されるようになっており、内枠材１３の弾性力により、中央の嵌合溝２０が脚杆６、７側へ変形するようになっている。
【００２７】
そのため、図７の矢印に示すように、透光性部材１１の上下端縁を上下方向から内方に向かって押圧させながら内枠材１３の嵌合溝２０に嵌合させることができるようになり、透光性部材１１が、がたつくことなく脚杆６、７に取り付けられる。また、透光性部材１１の寸法が若干異なっていても、この空間３４、３５が透光性部材１１の寸法の違いを緩和できるようになっている。
【００２８】
また、空間３４、３５は、内枠材１３と脚杆６、７の間に形成させられるばかりでなく、前述した内枠材１２と後部支柱８と中間支柱９の間に形成させることでも上記実施例と同様な効果を得ることができる。更に、後部支柱８と中間支柱９に形成させられた凸部３２、３３を脚杆６、７に設けることも可能であり、脚杆６、７に設けた凸部を内枠材１３の２条の嵌合条２１で挟み込むようにして取り付けることも可能である。
【００２９】
以上、本発明の実施例を図面により説明してきたが、具体的な構成はこれら実施例に限られるものではなく、本発明の要旨を逸脱しない範囲における変更や追加があっても本発明に含まれる。
【００３０】
例えば、上記実施例では、アクリル製の透光性部材を使用したが、透光性部材は、アクリル製に限らず、曇りガラス等で構成させても、上記実施例と同様な効果を得ることができる。かつ、合成樹脂製の内枠材が、金属製の脚体とガラス製の透光性部材の間に用いられていることで、金属とガラスの接触による、がたつきが生じることなく、透光性部材を脚体に取り付けることができるようになっている。
【００３１】
【発明の効果】
本発明は以下の効果を奏する。
（ａ）請求項１に記載の発明によれば、透光性部材を脚体内に取り付けたことによって、机の使用者の足元を隠蔽させるとともに、光が透光性部材から差し込むので、机の下を明るくさせることができるようになる。
【００３２】
（ｂ）請求項２に記載の発明によれば、内枠材の２条の嵌合条が、脚体の２条の嵌合溝に嵌合されることで、内枠材を強固に脚体に取り付けることができる。
【００３３】
（ｃ）請求項３に記載の発明によれば、透光性部材の外周が内方に向かって押圧されながら内枠材の嵌合溝に嵌合させられるので、透光性部材が、がたつくことなく脚体に取り付けられる。
【図面の簡単な説明】
【図１】本発明の脚体構造を適用された机における脚体の組立図である。
【図２】机の全体像を示す斜視図である。
【図３】支柱に取り付けられる内枠材の斜視図である。
【図４】脚杆に取り付けられる内枠材の斜視図である。
【図５】（ａ）は、コーナー部材の側面図であり、（ｂ）は、同じく正面図であり、（ｃ）は、同じく平面図である。
【図６】図２における脚体のＡ−Ａ断面図である。
【図７】図２における脚体のＢ−Ｂ断面図である。
【符号の説明】
１                机
２                脚体
３                挿通孔
４                幕板
５                天板
６                上方の脚杆
７                下方の脚杆
８                後部支柱
９                中間支柱
１１              透光性部材
１２、１３        内枠材
１４              嵌合溝
１５              配線ダクト
１６              係合片
１７              係合溝
１８              嵌合条
１９              コーナー部材
２０              嵌合溝
２１              嵌合条
２２              嵌合溝
２３、２４        接合面
２５              ボルト
２６、２７        嵌合溝
２８              ケーブル
２９              閉塞片
３０、３１        嵌合溝
３２、３３        凸部
３４、３５        空間
【図１】
2004283252.tif 000003
【図２】
2004283252.tif 000004
【図３】
2004283252.tif 000005
【図４】
2004283252.tif 000006
【図５】
2004283252.tif 000007
【図６】
2004283252.tif 000008
【図７】
2004283252.tif 000009